(57)【要約】【課題】経年使用によるブリード流量の低下を抑制できる開閉弁を提供する。【解決手段】開閉弁１は、弁座１８と弁体部４４との間に、閉弁状態において弁室１４側から弁ポート１５側に通じるブリード流路を構成するブリード溝１８ａが設けられている。弁本体１０の弁座部材１２が、弁座１８の周囲に設けられた当接面１９を有しており、弁体４０が、閉弁状態において当接面１９に重なるストッパ面４８ａを有している。そして、閉弁状態においてブリード溝１８ａと弁室１４とが通じている。【選択図】図３
2019218986.tif 000002
【特許請求の範囲】
【請求項１】
弁室と前記弁室に開口する弁ポートと前記弁ポートを囲む弁座とを有する弁本体と、
前記弁座に先端部が対向するように配置された弁体と、
前記先端部に設けられた弁体部が前記弁座に対して進退するように前記弁体を移動させる駆動部と、を有し、
前記弁座と前記弁体部との間には、前記弁体部が前記弁座に最も近づく閉弁状態において前記弁室側から前記弁ポート側に通じるブリード流路が設けられ、
前記弁本体が、前記弁座の周囲に設けられた当接面を有し、
前記弁体が、前記閉弁状態において前記当接面に重なるストッパ面を有し、
前記閉弁状態において前記ブリード流路と前記弁室とが通じていることを特徴とする開閉弁。
【請求項２】
前記弁体が、前記弁体の先端部に取り付けられた環状のストッパ部材を有し、
前記ストッパ面が、前記ストッパ部材における前記弁座側の端部に設けられ、
前記ストッパ部材の内側空間が、前記閉弁状態において前記ブリード流路に通じており、
前記ストッパ部材または前記弁体の先端部には、前記ストッパ部材の内側空間と前記弁室とを接続する接続流路が設けられている、請求項１に記載の開閉弁。
【請求項３】
前記閉弁状態において前記弁体部が前記弁座に接し、
前記ブリード流路が、前記弁体部または前記弁座に形成された前記弁室側から前記弁ポート側に延びるブリード溝で構成されている、請求項１または請求項２に記載の開閉弁。
【請求項４】
前記閉弁状態において前記弁座と前記弁体部との間に隙間が設けられ、
前記ブリード流路が、前記隙間で構成されている、請求項１または請求項２に記載の開閉弁。
【発明の詳細な説明】
【技術分野】
【０００１】
本発明は、開閉弁に関し、例えば、空気調和機に用いられ、閉弁状態において少量の冷媒を流動させる絞り弁として機能する除湿弁に適した開閉弁に関する。
【背景技術】
【０００２】
従来、除湿運転を行う空気調和機では、室内熱交換機を２つの熱交換器で構成し、これら両熱交換器の間に絞り弁としての除湿弁を設けている。このような除湿弁として、開弁状態と閉弁状態とを切り換え、閉弁状態において絞り弁として機能する開閉弁が用いられる。空気調和機では、通常運転時に除湿弁を開弁状態にして両熱交換器を一体として機能させる。一方、除湿運転時には、除湿弁を閉弁状態にして絞り弁とし、上流側の熱交換器を凝縮器として機能させ、下流側の熱交換器を蒸発器として機能させる。
【０００３】
空気調和機に使用される除湿弁としては、閉弁状態においてブリード流量と言われる少量の冷媒を流動させるためのブリード溝を弁座に設けたものが知られている。除湿弁として、通電閉形（ノーマルオープンタイプ）の直動式の電磁弁が用いられることが多い。
【０００４】
従来の開閉弁の一例としての電磁弁が特許文献１に開示されている。特許文献１の電磁弁は、電磁ソレノイド装置の非通電時には、プランジャばねのばね力によりプランジャが押し上げられ、プランジャに固定された弁体が弁座から離れた開弁状態になる。また、電磁ソレノイド装置の通電時には、プランジャばねのばね力に抗してプランジャが磁気力により下方に移動され、弁体が弁座に接した閉弁状態になる。
【先行技術文献】
【特許文献】
【０００５】
【特許文献１】特開２０１３−２２１６５２号公報
【発明の概要】
【発明が解決しようとする課題】
【０００６】
上述した電磁弁は、弁体がプランジャに固定されているので、閉弁状態において弁体が磁気力により弁座に押し付けられる。そのため、比較的大きい力で弁体が弁座に繰り返し押し付けられるので、経年使用により弁座や弁体の摩耗が生じるおそれがある。特に、弁体が弁座に対して線接触する構成においては、単位面積あたりの力が大きくなり、弁座や弁体の摩耗がより進んでしまうことが懸念される。そして、このような電磁弁を除湿弁として採用した場合に弁座や弁体の摩耗が生じると、弁座に設けられたブリード溝の開口深さが小さくなり、ブリード流量が低下してしまう。弁体にブリード溝が設けられた構成でも同様である。これにより、空気調和機の吹き出し温度が低下して、再熱除湿能力が悪化するおそれがある。
【０００７】
そこで、本発明は、経年使用によるブリード流量の低下を抑制できる開閉弁を提供することを目的とする。
【課題を解決するための手段】
【０００８】
上記目的を達成するために、本発明の一態様に係る開閉弁は、弁室と前記弁室に開口する弁ポートと前記弁ポートを囲む弁座とを有する弁本体と、前記弁座に先端部が対向するように配置された弁体と、前記先端部に設けられた弁体部が前記弁座に対して進退するように前記弁体を移動させる駆動部と、を有し、前記弁座と前記弁体部との間には、前記弁体部が前記弁座に最も近づく閉弁状態において前記弁室側から前記弁ポート側に通じるブリード流路が設けられ、前記弁本体が、前記弁座の周囲に設けられた当接面を有し、前記弁体が、前記閉弁状態において前記当接面に重なるストッパ面を有し、前記閉弁状態において前記ブリード流路と前記弁室とが通じていることを特徴とする。
【０００９】
本発明によれば、弁座と弁体部との間には、弁体部が弁座に最も近づく閉弁状態において弁室側から弁ポート側に通じるブリード流路が設けられている。弁本体が、弁座の周囲に設けられた当接面を有しており、弁体が、閉弁状態において当接面に重なるストッパ面を有している。そして、閉弁状態においてブリード流路と弁室とが通じている。このようにしたことから、閉弁状態において、弁本体の当接面に弁体のストッパ面が重なり面接触となる。そのため、弁本体と弁体との接触箇所における単位面積あたりの力が小さくなり、弁座や弁体部の摩耗を抑制できる。これにより、弁座と弁体部との間のブリード流路が小さくなることを抑制できる。したがって、経年使用によるブリード流量の低下を抑制できる。
【００１０】
本発明において、前記弁体が、前記弁体の先端部に取り付けられた環状のストッパ部材を有し、前記ストッパ面が、前記ストッパ部材における前記弁座側の端部に設けられ、前記ストッパ部材の内側空間が、前記閉弁状態において前記ブリード流路に通じており、前記ストッパ部材または前記弁体の先端部には、前記ストッパ部材の内側空間と前記弁室とを接続する接続流路が設けられていることが好ましい。このようにすることで、ストッパ部材を別工程で作成したのち弁体の先端部に取り付けることができるので、ストッパ部材に高精度の加工を施すことが可能となる。また、ストッパ部材に弁体の先端部とは異なる材料を採用することができ、構成の自由度を高めることができる。
【００１１】
本発明において、前記閉弁状態において前記弁体部が前記弁座に接し、前記ブリード流路が、前記弁体部または前記弁座に形成された前記弁室側から前記弁ポート側に延びるブリード溝で構成されていてもよい。
【００１２】
本発明において、前記閉弁状態において前記弁座と前記弁体部との間に隙間が設けられ、前記ブリード流路が、前記隙間で構成されていてもよい。
【発明の効果】
【００１３】
本発明によれば、経年使用によるブリード流量の低下を効果的に抑制できる。
【図面の簡単な説明】
【００１４】
【図１】本発明の第１実施例に係る開閉弁の縦断面図である。
【図２】図１の開閉弁の弁座近傍の拡大断面図（開弁状態）である。
【図３】図１の開閉弁の弁座近傍の拡大断面図（閉弁状態）である。
【図４】図１の開閉弁が有するストッパ部材を示す図である。
【図５】本発明の第２実施例に係る開閉弁の弁座近傍の拡大断面図（開弁状態）である。
【図６】図５の開閉弁の弁座近傍の拡大断面図（閉弁状態）である。
【図７】図５の開閉弁が有するストッパ部材を示す図である。
【発明を実施するための形態】
【００１５】
（第１実施例）
以下、本発明の第１実施例に係る開閉弁の構成について、図１〜図４を参照して説明する。なお、本明細書において、開閉弁とは、閉弁状態において少量の冷媒が流動する弁装置を含む。
【００１６】
図１は、本発明の第１実施例に係る開閉弁の縦断面図である。図２、図３は、図１の開閉弁の弁座近傍の拡大断面図（開弁状態、閉弁状態）である。図４は、図１の開閉弁が有するストッパ部材を示す図である。図４（ａ）は、ストッパ部材を下方から見た図であり、図４（ｂ）は、図４（ａ）のＡ−Ａ線に沿う断面図である。なお、本明細書において、「上下左右」は各図において各部材の相対的な位置関係を示すために用いており、絶対的な位置関係を示すものではない。
【００１７】
第１実施例の開閉弁１は、例えば、空気調和機の除湿運転時の冷媒を絞る除湿弁（ドライ弁）として使用される。開閉弁１は、磁気力により弁体を駆動する電磁弁である。開閉弁１は、これ以外にも、モーターの回転力により弁体を駆動する電動弁などであってもよい。
【００１８】
図１、図２に示すように、開閉弁１は、弁本体１０と、吸引子１３と、プランジャ３０と、弁体４０と、電磁式アクチュエータ５０と、を有している。
【００１９】
弁本体１０は、キャン１１と、弁座部材１２と、を有している。
【００２０】
キャン１１は、逆有底円筒状の小径部１１ａとその下部に連なる大径部１１ｂとを有する段付き状に形成されている。
【００２１】
弁座部材１２は、下端にフランジ部を有する円筒状に形成されている。キャン１１と弁座部材１２とは、例えば、ステンレスなどの金属製であり、弁座部材１２がキャン１１の大径部１１ｂに下からはめ込まれて、当該大径部１１ｂにフランジ部が溶接等により接合して固定される。
【００２２】
弁座部材１２は、内周面１２ａと、内周面１２ａの上端に設けられた逆円錐状のテーパ面である弁座１８と、上方を向く円環状平面である当接面１９と、が順に連なっている。当接面１９は、弁座１８の周囲に設けられている。
【００２３】
弁座１８には、複数のブリード溝１８ａが設けられている。ブリード溝１８ａは、弁座１８の弁室１４側から弁ポート１５側に（当接面１９側から内周面１２ａ側に）延びている。本実施例において、複数のブリード溝１８ａは、所定深さおよび所定幅の断面Ｖ字状に形成されており、周方向に６０度間隔で６つ設けられている。ブリード溝１８ａの形状や数などの構成については、開閉弁１の仕様等に応じて適宜設定される。
【００２４】
吸引子１３は、円筒状に形成されており、キャン１１の小径部１１ａの下部に固定されている。吸引子１３は、磁界により磁化される固定鉄心である。
【００２５】
弁本体１０は、弁室１４と、弁室１４に開口する弁ポート１５と、を有している。弁室１４は、キャン１１の大径部１１ｂ、弁座部材１２および吸引子１３によって画定される。弁ポート１５は、弁座部材１２の内周面１２ａによって画定され、弁座１８に囲まれている。
【００２６】
キャン１１の大径部１１ｂには、側方に延びる第１導管１６が接続されている。弁座部材１２の下部には、下方に延びる第２導管１７が接続されている。第１導管１６は弁室１４に通じており、第２導管１７は弁ポート１５に通じている。
【００２７】
プランジャ３０は、円筒状に形成されており、キャン１１の小径部１１ａの上部に吸引子１３と対向して上下方向に移動可能に収容されている。プランジャ３０は、吸引子１３との間に圧縮コイルばねであるプランジャばね３１を挟んでいる。プランジャ３０は、プランジャばね３１により上方に向けて押されている。すなわち、プランジャばね３１は、プランジャ３０を吸引子１３から離す方向に押している。キャン１１の天井部１１ｃは、プランジャ３０の上方移動限界（上端位置）を定めるストッパとなる。
【００２８】
弁体４０は、例えば、ステンレスなどの金属製であり、先端部である下部大径部４１と、中間胴部４２と、上部小径部４３と、を一体に有している。また、弁体４０は、下部大径部４１に取り付けられたストッパ部材４６を有している。
【００２９】
下部大径部４１は、下端部の外側に逆円錐状のテーパ面である弁体部４４を有している。弁体部４４は、弁座１８に上下方向に対向して配置される。弁体４０が上方に移動すると、弁体部４４が弁座１８から離れる。これにより、弁ポート１５が弁室１４に対して開いて、開弁状態となる。また、弁体４０が下方に移動すると、弁体部４４が弁座１８に接する（すなわち着座する）。これにより、弁ポート１５が弁室１４に対して閉じ、弁体部４４が弁座１８に最も近づく閉弁状態となる。
【００３０】
本実施例において、弁体部４４を構成するテーパ面が弁体４０の移動方向（図１〜図３の上下方向）に対してなす角度は、弁座１８を構成するテーパ面が弁体４０の移動方向に対してなす角度より小さい。これにより、閉弁状態において弁体部４４は弁座１８に対して線接触する。
【００３１】
弁座１８に設けられた複数のブリード溝１８ａにより、閉弁状態において弁室１４側と弁ポート１５側とを通じるブリード流路が構成されている。
【００３２】
また、下部大径部４１には、かしめ部４１ａによりストッパ部材４６が固定されている。ストッパ部材４６は、例えば、ステンレスなどの金属製でもよく、ポリテトラフルオロエチレン（ＰＴＦＥ）などの樹脂製でもよい。ストッパ部材４６は、円環板状の環状基部４７と、環状基部４７の下面内縁に下方に向けて立設された周壁部４８と、を一体に有している。
【００３３】
周壁部４８の下端には、下方に向けられた平面状のストッパ面４８ａが設けられている。また、周壁部４８には、内側と外側とを貫通する複数の接続流路４８ｂが設けられている。本実施例において、接続流路４８ｂは、ブリード溝１８ａと同様に周方向に６０度間隔で６つ設けられている。ストッパ部材４６は、その内側に弁体部４４が収まり、各接続流路４８ｂが各ブリード溝１８ａと径方向に並ぶようにして下部大径部４１に取り付けられている。ストッパ部材４６は、閉弁状態において弁座部材１２の当接面１９にストッパ面４８ａが密着して重なり、すなわち、面接触となる。また、ストッパ部材４６の接続流路４８ｂが、閉弁状態においてストッパ部材４６の内側空間４９（内周面に囲まれた空間）と弁室１４とを接続する。この内側空間４９は、ブリード溝１８ａに通じている。これにより、閉弁状態においてブリード流路であるブリード溝１８ａと弁室１４とが、接続流路４８ｂおよび内側空間４９を介して通じている。
【００３４】
中間胴部４２は、吸引子１３の貫通孔１３ａおよびプランジャ３０の通し孔３０ａに上下方向に移動可能に挿入されている。上部小径部４３は、プランジャ３０の内側に配置されており、中間胴部４２より大径の円筒状の嵌合部材３２が嵌められている。嵌合部材３２は、上部小径部４３のかしめ部４３ａにより固定されている。嵌合部材３２は、プランジャ３０の内側に弁体４０とともに上下方向に移動可能に収容されている。
【００３５】
嵌合部材３２は、キャン１１の天井部１１ｃとの間に圧縮コイルばねである閉弁ばね３３を挟んでいる。嵌合部材３２は、閉弁ばね３３により下方に向けて押されている。すなわち、閉弁ばね３３は、嵌合部材３２に固定された弁体４０を弁座１８に近づける方向に押している。閉弁ばね３３のばね力（復元力）は、プランジャばね３１のばね力より小さくなるように設定されている。嵌合部材３２が閉弁ばね３３に押されることにより、嵌合部材３２の下面がプランジャ３０における通し孔３０ａの周りの部分に押し付けられている。
【００３６】
電磁式アクチュエータ５０は、ハウジング５１と、ハウジングに収容されたボビン５２と、ボビン５２に巻回された電線で構成されたコイル５３と、を有している。電磁式アクチュエータ５０は、略円筒状に形成されており、キャン１１の小径部１１ａが内側に嵌められている。ハウジング５１の上部には、半球状凸部を有する板ばね状のストッパ５４が固定されている。このストッパ５４の半球状凸部をキャン１１の小径部１１ａに複数箇所（例えば４カ所）設けられた半球状の凹部のいずれかに嵌め合わせることで、キャン１１に対して電磁式アクチュエータ５０が位置決め固定される。
【００３７】
電磁式アクチュエータ５０は、吸引子１３、プランジャ３０，プランジャばね３１および閉弁ばね３３と協働して駆動部として機能し、コイル５３に通電することにより弁体部４４が弁座１８に接する（着座する）ように弁体４０を下方に移動させる。また、コイル５３に通電しないことにより弁体部４４が弁座１８から離れるように弁体４０を上方に移動させる。電磁式アクチュエータ５０は、弁体部４４が弁座１８に対して接離するように、すなわち弁体部４４が弁座１８に対して前進および後退（進退）するように弁体４０を移動させる。
【００３８】
次に、上述した開閉弁１の動作の一例について説明する。
【００３９】
開閉弁１のコイル５３に通電していない状態（非通電時）において、プランジャ３０は、プランジャばね３１のばね力（詳細には、プランジャばね３１と閉弁ばね３３とのばね力の差）により押し上げられて、天井部１１ｃに接する上端位置にある。そして、プランジャ３０とともに嵌合部材３２も押し上げられ、嵌合部材３２に固定された弁体４０が上方に移動する。これにより、非通電時は、図１、図２に示すように弁体部４４が弁座１８から離れた開弁状態となる。開弁状態では、冷媒が弁室１４を介して第１導管１６と第２導管１７との間を自由に流動することができる。図１において、第１導管１６から第２導管１７に向かう冷媒の流れを矢印で模式的に示している。また、開弁状態では、閉弁ばね３３のばね力により、弁体４０の上部小径部４３に取り付けられた嵌合部材３２の下面は、プランジャ３０の通し孔３０ａの周りの部分に押し付けられている。
【００４０】
開閉弁１のコイル５３に通電している状態（通電時）において、コイル５３が生じる磁界により吸引子１３およびプランジャ３０が磁化されて、プランジャ３０は、プランジャばね３１のばね力に抗して下方にある吸引子１３に引き寄せられる。このとき、閉弁ばね３３のばね力により嵌合部材３２が押し下げられて、嵌合部材３２に固定された弁体４０が下方に移動する。これにより、通電時は、図３に示すように弁体部４４が弁座１８に着座した閉弁状態となる。閉弁状態では、第１導管１６と第２導管１７との間の冷媒の流動が制限される。
【００４１】
閉弁状態では、閉弁ばね３３のばね力により弁体部４４が弁座１８に押し付けられた状態となる。弁体部４４が弁座１８に着座すると、弁体４０の下方への移動が規制されるが、プランジャ３０はプランジャばね３１のばね力に抗して下方にさらに移動して吸引子１３に突き当たる。このように、弁体部４４を弁座１８に押し付ける力は、閉弁ばね３３のばね力のみとなる。なお、本実施例において、弁体４０がプランジャ３０に対して移動可能な構成であるが、嵌合部材３２を設けずに弁体４０をプランジャ３０にかしめ等により固定した構成を採用してもよい。
【００４２】
開閉弁１は、弁体部４４が弁座１８に着座した（接した）閉弁状態において、弁室１４から弁ポート１５に通じる複数のブリード溝１８ａを所定のブリード流量の冷媒が流れるように構成されている。具体的には、冷媒は、弁室１４から接続流路４８ｂ、内側空間４９およびブリード溝１８ａを順に通り、弁ポート１５に流れる。図３において、冷媒が流れる様子を矢印Ｆで模式的に示す。そして、開閉弁１において開弁状態と閉弁状態とを繰り返すことにより弁体部４４も弁座１８に繰り返し接するが、同時に弁体４０のストッパ面４８ａが弁座部材１２の当接面１９に面接触する。これにより、弁座１８と弁体部４４との接触箇所に力が集中してしまうことを防ぐことができる。そのため、弁座１８および弁体部４４の摩耗が効果的に抑制され、ブリード流量が弁座１８や弁体部４４の摩耗の影響を受けてしまうことを抑制できる。
【００４３】
以上より、本実施例の開閉弁１によれば、弁座１８と弁体部４４との間には、弁体部４４が弁座１８に接する閉弁状態において弁室１４側から弁ポート１５側に通じるブリード流路を構成するブリード溝１８ａが設けられている。弁本体１０の弁座部材１２が、弁座１８の周囲に設けられた当接面１９を有しており、弁体４０が、閉弁状態において当接面１９に重なるストッパ面４８ａを有している。そして、閉弁状態においてブリード溝１８ａと弁室１４とが通じている。このようにしたことから、閉弁状態において、弁本体１０の当接面１９に弁体４０のストッパ面４８ａが重なり面接触となる。そのため、弁本体１０と弁体４０との接触箇所における単位面積あたりの力が小さくなり、弁座１８や弁体部４４の摩耗を抑制でき、弁座１８と弁体部４４との間のブリード溝１８ａの深さが小さくなることを抑制できる。したがって、経年使用によるブリード流量の低下を抑制できる。
【００４４】
また、弁体４０が、その先端部である下部大径部４１に取り付けられた環状のストッパ部材４６を有している。ストッパ面４８ａが、ストッパ部材４６における弁座１８側の端部に設けられている。ストッパ部材４６の内側空間４９が、閉弁状態においてブリード溝１８ａに通じている。そして、ストッパ部材４６には、ストッパ部材４６の内側空間４９と弁室１４とを接続する接続流路４８ｂが設けられている。このようにすることで、ストッパ部材４６を別工程で作成したのち弁体４０の下部大径部４１に取り付けることができるので、ストッパ部材４６に高精度の加工を施すことが可能となる。また、ストッパ部材４６に弁体４０の下部大径部４１とは異なる材料を採用することができるので、構成の自由度を高めることができる。
【００４５】
（第２実施例）
以下、本発明の第２実施例に係る開閉弁の構成について、図５〜図７を参照して説明する。
【００４６】
図５、図６は、本発明の第２実施例に係る開閉弁の弁座近傍の拡大断面図（開弁状態、閉弁状態）である。図７は、図５の開閉弁が有するストッパ部材を示す図である。図７（ａ）は、ストッパ部材を下方から見た図であり、図７（ｂ）は、図７（ａ）のＢ−Ｂ線に沿う断面図である。
【００４７】
第２実施例の開閉弁２も、第１実施例の開閉弁１と同様に、例えば、空気調和機の除湿運転時の冷媒を絞る除湿弁（ドライ弁）として使用される。この開閉弁２は、弁体４０が、下部大径部４１に代えて接続流路４１ｂが設けられた下部大径部４１Ａを有し、ストッパ部材４６に代えて接続流路４８ｂを省略したストッパ部材４６Ａを有している。そして、弁座１８にはブリード溝１８ａが設けられておらず、弁体部４４が弁座１８に最も近づく閉弁状態において、弁座１８と弁体部４４との間に隙間Ｓが設けられている。この隙間Ｓによって弁室１４側から弁ポート１５側に通じるブリード流路を構成している。これら以外の構成について、第２実施例の開閉弁２は、第１実施例の開閉弁１と同じ構成である。開閉弁２において、開閉弁１と同一の構成については、同一の符号を付して説明を省略する。
【００４８】
開閉弁２が有する弁体４０は、例えば、ステンレスなどの金属製であり、先端部である下部大径部４１Ａと、中間胴部４２と、上部小径部４３と、を一体に有している。また、弁体４０は、下部大径部４１Ａに取り付けられたストッパ部材４６Ａを有している。
【００４９】
下部大径部４１Ａは、下端部の外側に逆円錐状のテーパ面である弁体部４４を有している。弁体部４４は、弁座１８に上下方向に対向して配置される。弁体４０が上方に移動すると、弁体部４４が弁座１８から離れる。これにより、弁ポート１５が弁室１４に対して開いて、開弁状態となる。また、弁体４０が下方に移動すると、弁座部材１２の当接面１９にストッパ部材４６Ａのストッパ面４８ａが突き当たり、弁体部４４が弁座１８とわずかな隙間Ｓをあけた位置で下方への移動が規制される。このとき、弁ポート１５が弁室１４に対して概ね閉じ、弁体部４４が弁座１８に最も近づく閉弁状態となる。
【００５０】
弁座１８と弁体部４４とのわずかな隙間Ｓにより、閉弁状態において弁室１４側と弁ポート１５側とを通じるブリード流路が構成されている。
【００５１】
また、下部大径部４１Ａには、かしめ部４１ａによりストッパ部材４６Ａが固定されている。ストッパ部材４６Ａは、例えば、ステンレスなどの金属製でもよく、ポリテトラフルオロエチレン（ＰＴＦＥ）などの樹脂製でもよい。ストッパ部材４６Ａは、円環板状の環状基部４７と、環状基部４７の下面内縁に下方に向けて立設された周壁部４８と、を一体に有している。
【００５２】
周壁部４８の下端には、下方に向けられた平面状のストッパ面４８ａが設けられている。なお、ストッパ部材４６Ａには、第１実施例のストッパ部材４６のような接続流路４８ｂは設けられていない。ストッパ部材４６Ａは、その内側に弁体部４４が収まり、内周面と下部大径部４１Ａとの間に隙間を設けて当該下部大径部４１Ａに取り付けられている。ストッパ部材４６Ａは、閉弁状態において弁座部材１２の当接面１９にストッパ面４８ａが密着して重なり、すなわち、面接触となる。また、下部大径部４１Ａには、閉弁状態においてストッパ部材４６Ａの内側空間４９（内周面に囲まれた空間）と弁室１４とを接続する複数の接続流路４１ｂが設けられている。内側空間４９は、弁座１８と弁体部４４との隙間Ｓに通じている。これにより、閉弁状態においてブリード流路である隙間Ｓと弁室１４とが、接続流路４１ｂおよび内側空間４９を介して通じている。
【００５３】
開閉弁２は、弁座１８に弁体部４４が最も近づく閉弁状態において、弁室１４から弁ポート１５に通じる弁座１８と弁体部４４との隙間Ｓを所定のブリード流量の冷媒が流れるように構成されている。具体的には、冷媒は、弁室１４から接続流路４１ｂ、内側空間４９および隙間Ｓを順に通り、弁ポート１５に流れる。図６において、冷媒が流れる様子を矢印Ｆで模式的に示す。そして、開閉弁２において開弁状態と閉弁状態とを繰り返しても、弁体部４４が弁座１８に接することがなく、弁体４０のストッパ面４８ａが弁座部材１２の当接面１９に面接触する。そのため、弁座１８および弁体部４４の摩耗が効果的に抑制され、ブリード流量が弁座１８や弁体部４４の摩耗の影響を受けてしまうことを抑制できる。
【００５４】
以上より、本実施例の開閉弁２によれば、弁座１８と弁体部４４との間には、閉弁状態において弁室１４側から弁ポート１５側に通じるブリード流路を構成する隙間Ｓが設けられている。弁本体１０の弁座部材１２が、弁座１８の周囲に設けられた当接面１９を有しており、弁体４０が、閉弁状態において当接面１９に重なるストッパ面４８ａを有している。そして、閉弁状態において隙間Ｓと弁室１４とが通じている。このようにしたことから、閉弁状態において、弁座１８と弁体部４４とが接することがなく、弁本体１０の当接面１９に弁体４０のストッパ面４８ａが重なって面接触となる。そのため、当接面１９とストッパ面４８ａとの接触箇所における単位面積あたりの力が小さくなり、弁座１８や弁体部４４の摩耗を抑制しつつ、弁座１８と弁体部４４との隙間Ｓが小さくなることを抑制できる。したがって、経年使用によるブリード流量の低下を抑制できる。
【００５５】
また、弁体４０が、その先端部である下部大径部４１Ａに取り付けられた環状のストッパ部材４６Ａを有している。ストッパ面４８ａが、ストッパ部材４６Ａにおける弁座１８側の端部に設けられている。ストッパ部材４６Ａの内側空間４９が、閉弁状態において弁座１８と弁体部４４との隙間Ｓに通じている。そして、下部大径部４１Ａには、ストッパ部材４６Ａの内側空間４９と弁室１４とを接続する接続流路４１ｂが設けられている。このようにすることで、ストッパ部材４６Ａを別工程で作成したのち弁体４０の下部大径部４１Ａに取り付けることができるので、ストッパ部材４６Ａに高精度の加工を施すことが可能となる。また、ストッパ部材４６Ａに弁体４０の下部大径部４１Ａとは異なる材料を採用することができるので、構成の自由度を高めることができる。
【００５６】
上記に本発明の実施例を説明したが、本発明はこれらの例に限定されるものではない。前述の実施例に対して、当業者が適宜、構成要素の追加、削除、設計変更を行ったものや、実施例の特徴を適宜組み合わせたものも、本発明の趣旨に反しない限り、本発明の範囲に含まれる。
【符号の説明】
【００５７】
１…開閉弁、１０…弁本体、１１…キャン、１１ａ…小径部、１１ｂ…大径部、１１ｃ…天井部、１２…弁座部材、１２ａ…内周面、１３…吸引子、１３ａ…貫通孔、１４…弁室、１５…弁ポート、１６…第１導管、１７…第２導管、１８…弁座、１９…当接面、３０…プランジャ、３０ａ…通し孔、３１…プランジャばね、３２…嵌合部材、３３…閉弁ばね、４０…弁体、４１、４１Ａ…下部大径部、４１ａ…かしめ部、４１ｂ…接続流路、４２…中間胴部、４３…上部小径部、４３ａ…かしめ部、４４…弁体部、４６、４６Ａ…ストッパ部材、４７…環状基部、４８…周壁部、４８ａ…ストッパ面、４８ｂ…接続流路、４９…内側空間、５０…電磁式アクチュエータ、５１…ハウジング、５２…ボビン、５３…コイル、５４…ストッパ、Ｓ…隙間
【図１】
2019218986.tif 000003
【図２】
2019218986.tif 000004
【図３】
2019218986.tif 000005
【図４】
2019218986.tif 000006
【図５】
2019218986.tif 000007
【図６】
2019218986.tif 000008
【図７】
2019218986.tif 000009